(57)【要約】【課題】  給紙トレイに裏紙等の片面のみ印刷に適した片面印刷用紙が収容されている場合でも常に適正な印刷出力が得られるようにした画像処理装置および方法を提供する。【解決手段】  給紙装置９の各給紙トレイに対応して収容されている用紙のサイズおよび裏紙を含む紙質を設定するトレイ情報および両面印刷を行うか片面印刷を行うかを設定する両面／片面印刷設定情報を補助記憶部３に記憶し、両面印刷が設定され、かつ給紙トレイに裏紙が収容されていると設定されている場合は、両面印刷の設定を無視して画像出力部８で片面印刷を行う。【選択図】  図１
2005191873.tif 000002
【特許請求の範囲】
【請求項１】
少なくとも１つの給紙トレイを有し、該給紙トレイから給紙された用紙を用いて印刷を行う画像処理装置において、
前記給紙トレイに対応して片面のみ印刷に適した片面印刷用紙が収容されているか否かを設定する用紙設定手段と、
両面印刷を設定する両面印刷設定手段と、
前記両面印刷設定手段により両面印刷が設定され、かつ前記給紙トレイに前記片面印刷用紙が収容されていると設定されている場合は、前記両面印刷設定手段による両面印刷の設定を無視して片面印刷を行う印刷制御手段と
を具備することを特徴とする画像処理装置。
【請求項２】
前記給紙トレイは、
複数のサイズの用紙が収納された複数の給紙トレイを含み、
前記印刷制御手段は、
前記両面印刷設定手段により両面印刷が設定され、かつ前記用紙設定手段により前記複数の給紙トレイの全てに前記片面印刷用紙が収容されていると設定されている場合は、前記複数の給紙トレイの中の印刷に適したサイズの用紙が収容されている給紙トレイを選択して片面印刷を行い、前記複数の給紙トレイの中に前記片面印刷用紙が収容されていると設定されていない給紙トレイが存在する場合は、該片面印刷用紙が収容されていると設定されていない給紙トレイの中の印刷に適したサイズの用紙が収容されている給紙トレイを選択して両面印刷を行う
ことを特徴とする請求項１記載の画像処理装置。
【請求項３】
前記複数の給紙トレイに対応して用紙サイズおよび前記片面印刷用紙を含む紙質を予め設定する設定テーブル
を更に具備し、
前記印刷制御手段は、
前記設定テーブルを参照して給紙トレイの選択および片面印刷か両面印刷かの制御を行う
ことを特徴とする請求項２記載の画像処理装置。
【請求項４】
前記画像処理装置は、
ファクシミリ通信を行うファクシミリ装置であり、
前記両面印刷設定手段は、
相手機からの両面原稿の通知に応じて両面印刷を設定する
ことを特徴とする請求項１乃至３記載の画像処理装置。
【請求項５】
前記片面印刷用紙は、
裏面が既に印刷に用いられた裏紙である
ことを特徴とする請求項１乃至４のいずれかに記載の画像処理装置。
【請求項６】
少なくとも１つの給紙トレイを有し、該給紙トレイから給紙された用紙を用いて印刷を行う画像処理装置において、
前記給紙トレイに対応して片面のみ印刷に適した片面印刷用紙が収容されているか否かを設定する用紙設定手段と、
両面印刷を設定する両面印刷設定手段と、
印刷に用いる給紙トレイを指定する給紙トレイ指定手段と、
前記両面印刷設定手段により両面印刷が設定され、かつ前記給紙トレイ指定手段により指定された給紙トレイに前記片面印刷用紙が収容されていると設定されている場合は、前記両面印刷設定手段による両面印刷の設定を無視して片面印刷を行う印刷制御手段と
を具備することを特徴とする画像処理装置。
【請求項７】
前記画像処理装置は、
ファクシミリ通信を行うファクシミリ装置であり、
前記給紙トレイ指定手段は、
ファクシミリ受信した回線に対応してファクシミリ受信した画像の印刷に用いる給紙トレイを指定する
ことを特徴とする請求項６記載の画像処理装置。
【請求項８】
前記片面印刷用紙は、
裏面が既に印刷に用いられた裏紙である
ことを特徴とする請求項６または７記載の画像処理装置。
【請求項９】
少なくとも１つの給紙トレイを有し、該給紙トレイから給紙された用紙を用いて印刷を行う画像処理装置において、
前記給紙トレイに対応して片面のみ印刷に適した片面印刷用紙が収容されているか否かを設定する用紙設定手段と、
両面印刷を設定する両面印刷設定手段と、
印刷に用いる用紙サイズを指定する用紙サイズ指定手段と、
前記両面印刷設定手段により両面印刷が設定され、前記給紙トレイの中に前記片面印刷用紙が収容されていると設定されていない給紙トレイが存在する場合は、該片面印刷用紙が収容されていると設定されていない給紙トレイの中の前記用紙サイズ指定手段により指定されたサイズと同一のサイズの用紙が収容された用紙が収容されている給紙トレイを選択して両面印刷を行い、前記両面印刷設定手段により両面印刷が設定されていず、かつ前記用紙サイズ指定手段により指定されたサイズと同一のサイズの用紙が収容された給紙トレイが複数存在する場合は、前記用紙設定手段により前記片面印刷用紙が収容されていると設定されている給紙トレイを優先して選択して片面印刷を行う印刷制御手段と
を具備することを特徴とする画像処理装置。
【請求項１０】
前記片面印刷用紙は、
裏面が既に印刷に用いられた裏紙である
ことを特徴とする請求項９記載の画像処理装置。
【請求項１１】
少なくとも１つの給紙トレイを有し、該給紙トレイから給紙された用紙を用いてファクシミリ受信した原稿の印刷を行う画像処理装置において、
複数の給紙トレイに対応して片面のみ印刷に適した片面印刷用紙が収容されているか否かをそれぞれ設定する用紙設定手段と、
両面印刷を設定する両面印刷設定手段と、
ファクシミリ受信開始に際して、前記用紙設定手段により前記複数の給紙トレイの全てに前記片面印刷用紙が収容されていると設定され、前記両面印刷設定手段により両面印刷が設定されていない場合は、全ての給紙トレイの用紙サイズを受信可能用紙サイズとして宣言し、前記用紙設定手段により前記片面印刷用紙が収容されていると設定されていない給紙トレイが存在し、かつ前記両面印刷設定手段により両面印刷が設定されている場合は、前記片面印刷用紙が収容されていると設定されていない給紙トレイの用紙サイズを受信可能用紙サイズとして宣言する宣言手段と
を具備することを特徴とする画像処理装置。
【請求項１２】
前記片面印刷用紙は、
裏面が既に印刷に用いられた裏紙である
ことを特徴とする請求項１１記載の画像処理装置。
【請求項１３】
少なくとも１つの給紙トレイを有し、該給紙トレイから給紙された用紙を用いて印刷を行う画像形成方法において、
前記給紙トレイに対応して片面のみ印刷に適した片面印刷用紙が収容されているか否かを用紙設定手段により設定し、
両面印刷設定手段により両面印刷を設定し、
前記両面印刷設定手段により両面印刷が設定され、かつ前記給紙トレイに前記片面印刷用紙が収容されていると設定されている場合は、前記両面印刷設定手段による両面印刷の設定を無視して片面印刷を行う
ことを特徴とする画像形成方法。
【請求項１４】
少なくとも１つの給紙トレイを有し、該給紙トレイから給紙された用紙を用いて印刷を行う画像形成方法において、
前記給紙トレイに対応して片面のみ印刷に適した片面印刷用紙が収容されているか否かを用紙設定手段により設定し、
両面印刷設定手段により両面印刷を設定し、
給紙トレイ指定手段により印刷に用いる給紙トレイを指定し、
前記両面印刷設定手段により両面印刷が設定され、かつ前記給紙トレイ指定手段により指定された給紙トレイに前記片面印刷用紙が収容されていると設定されている場合は、前記両面印刷設定手段による両面印刷の設定を無視して片面印刷を行う
ことを特徴とする画像形成方法。
【請求項１５】
少なくとも１つの給紙トレイを有し、該給紙トレイから給紙された用紙を用いて印刷を行う画像形成方法において、
前記給紙トレイに対応して片面のみ印刷に適した片面印刷用紙が収容されているか否かを用紙設定手段により設定し、
両面印刷設定手段により両面印刷を設定し、
用紙サイズ指定手段により印刷に用いる用紙サイズを指定し、
前記両面印刷設定手段により両面印刷が設定され、前記給紙トレイの中に前記片面印刷用紙が収容されていると設定されていない給紙トレイが存在する場合は、該片面印刷用紙が収容されていると設定されていない給紙トレイの中の前記用紙サイズ指定手段により指定されたサイズと同一のサイズの用紙が収容された用紙が収容されている給紙トレイを選択して両面印刷を行い、前記両面印刷設定手段により両面印刷が設定されていず、かつ前記用紙サイズ指定手段により指定されたサイズと同一のサイズの用紙が収容された給紙トレイが複数存在する場合は、前記用紙設定手段により前記片面印刷用紙が収容されていると設定されている給紙トレイを優先して選択して片面印刷を行う
ことを特徴とする画像形成方法。
【請求項１６】
少なくとも１つの給紙トレイを有し、該給紙トレイから給紙された用紙を用いてファクシミリ受信した原稿の印刷を行う画像形成方法において、
複数の給紙トレイに対応して片面のみ印刷に適した片面印刷用紙が収容されているか否かを用紙設定手段によりそれぞれ設定し、
両面印刷設定手段により両面印刷を設定し、
ファクシミリ受信開始に際して、前記用紙設定手段により前記複数の給紙トレイの全てに前記片面印刷用紙が収容されていると設定され、前記両面印刷設定手段により両面印刷が設定されていない場合は、全ての給紙トレイの用紙サイズを受信可能用紙サイズとして宣言し、前記用紙設定手段により前記片面印刷用紙が収容されていると設定されていない給紙トレイが存在し、かつ前記両面印刷設定手段により両面印刷が設定されている場合は、前記片面印刷用紙が収容されていると設定されていない給紙トレイの用紙サイズを受信可能用紙サイズとして宣言する
ことを特徴とする画像形成方法。
【発明の詳細な説明】
【技術分野】
【０００１】
本発明は、ファクシミリ装置、プリンタ、複写機等の画像処理装置および方法に関し、特に、少なくとも１つの給紙トレイを有し、該給紙トレイから給紙された用紙を用いて印刷を行う画像処理装置において、給紙トレイに裏紙等の片面のみ印刷に適した片面印刷用紙が収容されている場合でも適正な印刷出力が得られるようにした画像処理装置および方法に関する。
【背景技術】
【０００２】
従来、複数の給紙トレイを有するファクシミリ装置、プリンタ、複写機等の画像処理装置においては、印刷出力する原稿のサイズに合わせて給紙トレイを自動選択して印刷を行うように構成されている。
【０００３】
このような画像処理装置においては、給紙トレイに複数種類の紙質の印刷用紙を収納することが可能であり、この複数種類の紙質の中には、片面のみ印刷に適した用紙（以下、片面印刷用紙という）が収容される場合がある。
【０００４】
例えば、資源の有効利用のために、片面が既に印刷に用いられた用紙（以下、裏紙という）が、ある給紙トレイに収容される場合があり、また、写真画像用の印刷面が片面に設定された用紙が給紙トレイに収容される場合もある。
【０００５】
このような片面印刷用紙が給紙トレイに収容されていて、両面印刷指示がなされ、この片面印刷用紙が収容されている給紙トレイが選択されると、例えば、この片面印刷用紙が裏紙であると、既に印刷に用いらた面に画像が重ねて印刷されることになり、正常な印刷ができない。
【０００６】
また、この片面印刷用紙が写真画像用の印刷面が片面に設定された用紙の場合には、表面には所望の印刷を行うことができるが、裏面の印刷においては満足すべき印刷を行うことができない。
【０００７】
そこで、従来、給紙トレイに収納されている紙質や機能に応じて、印刷に適していない用紙がセットされている給紙トレイを避けて印刷制御する画像処理装置が提案されている。
また、特許文献１に示すように、裏紙であることを検出して、この裏紙が収容されている給紙トレイを両面印刷のための両面給紙トレイから除外する構成が記載されている。  
【特許文献１】特開平６−７０１２６号公報
【発明の開示】
【発明が解決しようとする課題】
【０００８】
しかしながら、上記従来技術の前者の画像処理装置においては、裏紙等の片面のみ印刷に適した片面印刷用紙が給紙トレイに収納される場合を全く考慮していないので、この給紙トレイを選択して両面印刷が指示された場合は、既に印刷してある記録面に再度印刷されてしまったり、印刷に適しない印刷面に印刷されててしまうという不都合がある。
【０００９】
また、この画像処理装置がファクシミリ装置である場合には、ファクシミリ文書の印刷を両面印刷に設定した場合に、裏紙が収納された給紙トレイの用紙サイズを受信紙サイズとして宣言してしまう場合があり、この場合は、既に印刷してある記録面に再度印刷されてしまうという不都合がある。
【００１０】
また、後者の特許文献１に記載された構成においては、給紙トレイの全てに裏紙が収納されている場合は、印刷できない状態で停止してしまう虞がある。
【００１１】
そこで、この発明は、給紙トレイに裏紙等の片面のみ印刷に適した片面印刷用紙が収容されている場合でも常に適正な印刷出力が得られるようにした画像処理装置および方法を提供することを目的とする。
【課題を解決するための手段】
【００１２】
上記目的を達成するため、請求項１の発明は、少なくとも１つの給紙トレイを有し、該給紙トレイから給紙された用紙を用いて印刷を行う画像処理装置において、前記給紙トレイに対応して片面のみ印刷に適した片面印刷用紙が収容されているか否かを設定する用紙設定手段と、両面印刷を設定する両面印刷設定手段と、前記両面印刷設定手段により両面印刷が設定され、かつ前記給紙トレイに前記片面印刷用紙が収容されていると設定されている場合は、前記両面印刷設定手段による両面印刷の設定を無視して片面印刷を行う印刷制御手段とを具備することを特徴とする。
【００１３】
また、請求項２の発明は、請求項１の発明において、前記給紙トレイは、複数のサイズの用紙が収納された複数の給紙トレイを含み、前記印刷制御手段は、前記両面印刷設定手段により両面印刷が設定され、かつ前記用紙設定手段により前記複数の給紙トレイの全てに前記片面印刷用紙が収容されていると設定されている場合は、前記複数の給紙トレイの中の印刷に適したサイズの用紙が収容されている給紙トレイを選択して片面印刷を行い、前記複数の給紙トレイの中に前記片面印刷用紙が収容されていると設定されていない給紙トレイが存在する場合は、該片面印刷用紙が収容されていると設定されていない給紙トレイの中の印刷に適したサイズの用紙が収容されている給紙トレイを選択して両面印刷を行うことを特徴とする。
【００１４】
また、請求項３の発明は、請求項２の発明において、前記複数の給紙トレイに対応して用紙サイズおよび前記片面印刷用紙を含む紙質を予め設定する設定テーブルを更に具備し、前記印刷制御手段は、前記設定テーブルを参照して給紙トレイの選択および片面印刷か両面印刷かの制御を行うことを特徴とする。
【００１５】
また、請求項４記載の発明は、請求項１乃至３の発明において、前記画像処理装置は、ファクシミリ通信を行うファクシミリ装置であり、前記両面印刷設定手段は、相手機からの両面原稿の通知に応じて両面印刷を設定することを特徴とする。
【００１６】
また、請求項６の発明は、請求項１乃至４の発明において、前記片面印刷用紙は、裏面が既に印刷に用いられた裏紙であることを特徴とする。
【００１７】
また、請求項６の発明は、少なくとも１つの給紙トレイを有し、該給紙トレイから給紙された用紙を用いて印刷を行う画像処理装置において、前記給紙トレイに対応して片面のみ印刷に適した片面印刷用紙が収容されているか否かを設定する用紙設定手段と、両面印刷を設定する両面印刷設定手段と、印刷に用いる給紙トレイを指定する給紙トレイ指定手段と、前記両面印刷設定手段により両面印刷が設定され、かつ前記給紙トレイ指定手段により指定された給紙トレイに前記片面印刷用紙が収容されていると設定されている場合は、前記両面印刷設定手段による両面印刷の設定を無視して片面印刷を行う印刷制御手段とを具備することを特徴とする。
【００１８】
また、請求項７の発明は、請求項６の発明において、前記画像処理装置は、ファクシミリ通信を行うファクシミリ装置であり、前記給紙トレイ指定手段は、ファクシミリ受信した回線に対応してファクシミリ受信した画像の印刷に用いる給紙トレイを指定することを特徴とする。
【００１９】
また、請求項８の発明は、請求項６または７の発明において、前記片面印刷用紙は、裏面が既に印刷に用いられた裏紙であることを特徴とする。
【００２０】
また、請求項９の発明は、少なくとも１つの給紙トレイを有し、該給紙トレイから給紙された用紙を用いて印刷を行う画像処理装置において、前記給紙トレイに対応して片面のみ印刷に適した片面印刷用紙が収容されているか否かを設定する用紙設定手段と、両面印刷を設定する両面印刷設定手段と、印刷に用いる用紙サイズを指定する用紙サイズ指定手段と、前記両面印刷設定手段により両面印刷が設定され、前記給紙トレイの中に前記片面印刷用紙が収容されていると設定されていない給紙トレイが存在する場合は、該片面印刷用紙が収容されていると設定されていない給紙トレイの中の前記用紙サイズ指定手段により指定されたサイズと同一のサイズの用紙が収容された用紙が収容されている給紙トレイを選択して両面印刷を行い、前記両面印刷設定手段により両面印刷が設定されていず、かつ前記用紙サイズ指定手段により指定されたサイズと同一のサイズの用紙が収容された給紙トレイが複数存在する場合は、前記用紙設定手段により前記片面印刷用紙が収容されていると設定されている給紙トレイを優先して選択して片面印刷を行う印刷制御手段とを具備することを特徴とする。
【００２１】
また、請求項１０の発明は、請求項９の発明において、前記片面印刷用紙は、裏面が既に印刷に用いられた裏紙であることを特徴とする。
【００２２】
また、請求項１１の発明は、少なくとも１つの給紙トレイを有し、該給紙トレイから給紙された用紙を用いてファクシミリ受信した原稿の印刷を行う画像処理装置において、
複数の給紙トレイに対応して片面のみ印刷に適した片面印刷用紙が収容されているか否かをそれぞれ設定する用紙設定手段と、両面印刷を設定する両面印刷設定手段と、ファクシミリ受信開始に際して、前記用紙設定手段により前記複数の給紙トレイの全てに前記片面印刷用紙が収容されていると設定され、前記両面印刷設定手段により両面印刷が設定されていない場合は、全ての給紙トレイの用紙サイズを受信可能用紙サイズとして宣言し、前記用紙設定手段により前記片面印刷用紙が収容されていると設定されていない給紙トレイが存在し、かつ前記両面印刷設定手段により両面印刷が設定されている場合は、前記片面印刷用紙が収容されていると設定されていない給紙トレイの用紙サイズを受信可能用紙サイズとして宣言する宣言手段とを具備することを特徴とする。
【００２３】
また、請求項１２の発明は、請求項１１の発明において、前記片面印刷用紙は、裏面が既に印刷に用いられた裏紙であることを特徴とする。
【００２４】
また、請求項１３の発明は、少なくとも１つの給紙トレイを有し、該給紙トレイから給紙された用紙を用いて印刷を行う画像形成方法において、前記給紙トレイに対応して片面のみ印刷に適した片面印刷用紙が収容されているか否かを用紙設定手段により設定し、両面印刷設定手段により両面印刷を設定し、前記両面印刷設定手段により両面印刷が設定され、かつ前記給紙トレイに前記片面印刷用紙が収容されていると設定されている場合は、前記両面印刷設定手段による両面印刷の設定を無視して片面印刷を行うことを特徴とする。
【００２５】
また、請求項１４の発明は、少なくとも１つの給紙トレイを有し、該給紙トレイから給紙された用紙を用いて印刷を行う画像形成方法において、前記給紙トレイに対応して片面のみ印刷に適した片面印刷用紙が収容されているか否かを用紙設定手段により設定し、両面印刷設定手段により両面印刷を設定し、給紙トレイ指定手段により印刷に用いる給紙トレイを指定し、前記両面印刷設定手段により両面印刷が設定され、かつ前記給紙トレイ指定手段により指定された給紙トレイに前記片面印刷用紙が収容されていると設定されている場合は、前記両面印刷設定手段による両面印刷の設定を無視して片面印刷を行うことを特徴とする。
【００２６】
また、請求項１５の発明は、少なくとも１つの給紙トレイを有し、該給紙トレイから給紙された用紙を用いて印刷を行う画像形成方法において、前記給紙トレイに対応して片面のみ印刷に適した片面印刷用紙が収容されているか否かを用紙設定手段により設定し、両面印刷設定手段により両面印刷を設定し、用紙サイズ指定手段により印刷に用いる用紙サイズを指定し、前記両面印刷設定手段により両面印刷が設定され、前記給紙トレイの中に前記片面印刷用紙が収容されていると設定されていない給紙トレイが存在する場合は、該片面印刷用紙が収容されていると設定されていない給紙トレイの中の前記用紙サイズ指定手段により指定されたサイズと同一のサイズの用紙が収容された用紙が収容されている給紙トレイを選択して両面印刷を行い、前記両面印刷設定手段により両面印刷が設定されていず、かつ前記用紙サイズ指定手段により指定されたサイズと同一のサイズの用紙が収容された給紙トレイが複数存在する場合は、前記用紙設定手段により前記片面印刷用紙が収容されていると設定されている給紙トレイを優先して選択して片面印刷を行うことを特徴とする。
【００２７】
また、請求項１６の発明は、少なくとも１つの給紙トレイを有し、該給紙トレイから給紙された用紙を用いてファクシミリ受信した原稿の印刷を行う画像形成方法において、複数の給紙トレイに対応して片面のみ印刷に適した片面印刷用紙が収容されているか否かを用紙設定手段によりそれぞれ設定し、両面印刷設定手段により両面印刷を設定し、ファクシミリ受信開始に際して、前記用紙設定手段により前記複数の給紙トレイの全てに前記片面印刷用紙が収容されていると設定され、前記両面印刷設定手段により両面印刷が設定されていない場合は、全ての給紙トレイの用紙サイズを受信可能用紙サイズとして宣言し、前記用紙設定手段により前記片面印刷用紙が収容されていると設定されていない給紙トレイが存在し、かつ前記両面印刷設定手段により両面印刷が設定されている場合は、前記片面印刷用紙が収容されていると設定されていない給紙トレイの用紙サイズを受信可能用紙サイズとして宣言することを特徴とする。
【発明の効果】
【００２８】
この発明によれば、両面印刷が設定され、かつ給紙トレイに裏紙等の片面のみ印刷に適した片面印刷用紙が収容されていると設定されている場合は、両面印刷の設定を無視して片面印刷を行うように構成したので、給紙トレイに片面印刷用紙が収容されている場合でも既に印刷してある記録面に再度印刷されてしまったり、印刷に適しない印刷面に印刷されててしまうという不都合を解消できるという効果を奏する。
【発明を実施するための最良の形態】
【００２９】
以下、この発明に係わる画像処理装置および方法の実施例を添付図面を参照して詳細に説明する。
【００３０】
図１は、この発明に係わる画像処理装置の概略構成の一例を示すブロック図である。
【００３１】
図１に示す画像処理装置１００は、ファクシミリ通信機能を有するもので、ＣＰＵ（中央演算処理装置）１、主記憶部２、補助記憶部３、表示部４、操作部５、通信制御部６、画像入力部７、画像出力部８、給紙装置９をシステムバス１０を介して相互に接続して構成される。
【００３２】
ここで、ＣＰＵ１は、この画像処理装置１００の全体動作を統括制御するもので、主記憶部２に記憶されている制御プログラムに基づき給紙装置９を含むこの画像処理装置１００の各部の制御を行う。
【００３３】
補助記憶部３は、給紙装置９０にセットされた記録紙の用紙サイズ、裏紙等の紙質の情報を記憶するとともに、画像入力部７で読み取った原稿の画像および通信制御部６で受信したファクシミリ画像等を一時記憶する。
【００３４】
表示部４は、この画像処理装置１００の画像処理にかかわる各情報の表示を行うもので、通信制御部６の通信状態、ユーザに対するメッセージ等を表示する。この表示部は、例えば、液晶表示装置等から構成することができる。
【００３５】
操作部５は、この画像処理装置の各装置への指示や設定入力、通信時における通信開始の指示や送信先の設定等を行うもので、タッチパネルやキーボード等を含んで構成される。
【００３６】
通信制御部６は、複数の回線（この実施例では「回線１」と「回線２」の２回線）で公衆網に接続され、この公衆網を介するファクシミリ通信を制御する。
【００３７】
画像入力部７は、通信網を介してファクシミリ送信する原稿の画像および画像出力部８から印刷出力する原稿の画像等の入力を行うもので、スキャナを含んで構成される。
【００３８】
給紙装置９は、画像出力部８からの印刷出力に用いる用紙を給紙するもので、この給紙装置は、自動給紙を行うことが可能な複数の給紙トレイからなる多段トレイを有して構成される。
【００３９】
なお、この実施例においては、給紙装置９が「給紙トレイ１」、「給紙トレイ２」、「給紙トレイ３」の３段トレイから構成されている場合を示すが、４段以上から構成されていてもよく、また２段以下から構成されていてもよい。
【００４０】
給紙装置９の各給紙トレイには、収容されている用紙のサイズおよび紙質がトレイ情報として設定される。このトレイ情報は、補助記憶部３に記憶される。この補助記憶部３に記憶されるトレイ情報は、各給紙トレイに用紙が入れ替えられる度に更新される。
【００４１】
ここで、このトレイ情報は、各給紙トレイに収容されている用紙に対応してユーザが操作部５から手動設定するように構成してもよいし、また、各給紙トレイに収容されている用紙のサイズおよび紙質を自動検出して自動設定するように構成してもよい。
【００４２】
図２は、図１に示した補助記憶部３に記憶されるトレイ情報の一例を示す図である。
【００４３】
図２（ａ）には、給紙装置９の「給紙トレイ１」に、用紙サイズがＡ４で、紙質が普通紙に設定され、「給紙トレイ２」に、用紙サイズがＡ３、紙質が普通紙に設定され、「給紙トレイ３」に、用紙サイズがＢ４、紙質が裏紙に設定されている状態を示している。
【００４４】
また、図２（ａ）には、この給紙装置９０の全てに対して紙質が裏紙に設定されている場合を示している。
【００４５】
すなわち、図２（ａ）においては、「給紙トレイ１」に、用紙サイズがＡ４で、紙質が裏紙に設定され、「給紙トレイ２」に、用紙サイズがＡ３、紙質が裏紙に設定され、「給紙トレイ３」に、用紙サイズがＢ４、紙質が裏紙に設定されている。
【００４６】
また、この画像処理装置１００においては、画像出力部８からの印刷出力を両面印刷で行うか片面印刷で行うかの設定を行うことができるように構成されている。この両面印刷か片面印刷かの設定は両面／片面印刷設定情報として補助記憶部３に記憶される。
【００４７】
図３は、補助記憶部３に記憶される両面／片面印刷設定情報の一例を示すもので、図３においては、印刷設定として両面印刷が設定された場合を示している。
【００４８】
図４は、図１に示した画像処装置１００におけるファクシミリ受信終了後のファクシミリ受信画像の印刷処理の一例を示すフローチャートである。
【００４９】
図４において、ファクシミリ受信が終了すると、まず、補助記憶部３に記憶されている両面／片面印刷設定情報を参照して、両面印刷が設定されているかを調べる（ステップ４０１）。
【００５０】
そして、ステップ４０１で両面印刷が設定されていると判断されると（ステップ４０１でＹＥＳ）、次に全ての給紙トレイに裏紙がセットされているか、すなわち、補助記憶部３に記憶されているトレイ情報が、例えば、図２（ｂ）に示したように全て裏紙に設定されているかを調べる（ステップ４０２）。
【００５１】
ここで、全ての給紙トレイに裏紙がセットされていないと判断されると（ステップ４０２でＮＯ）、裏紙がセットされていない給紙トレイが存在するので、この裏紙がセットされていない給紙トレイのなかで受信画像に合う用紙サイズの給紙トレイを、補助記憶部３に記憶されているトレイ情報を参照して選択し、画像出力部８に対してこの受信画像の両面での印刷を指示し（ステップ４０３）、これにより、画像出力部８による受信画像の両面印刷が開始される。
【００５２】
また、ステップ４０１で両面印刷が設定されていないと判断された場合（ステップ４０１でＮＯ）、若しくは、ステップ４０２で、全ての給紙トレイに裏紙がセットされていると判断された場合（ステップ４０２でＹＥＳ）は、全ての給紙トレイのなかで受信画像に合う用紙サイズの給紙トレイを、補助記憶部３に記憶されているトレイ情報を参照して選択し、画像出力部８に対してこの受信画像の片面での印刷を指示し（ステップ４０４）、これにより、画像出力部８による受信画像の片面印刷が開始される。
【００５３】
このような構成によると、両面印刷が設定され、全ての給紙トレイに裏紙がセットされていても、片面印刷で受信画像を印刷出力することができる。
【００５４】
また、両面印刷が設定され、裏紙がセットされていない給紙トレイが存在する場合は、この裏紙がセットされていない給紙トレイを選択して両面印刷が行われるので、裏紙の既に印刷してある記録面に再度印刷されてしまうという不都合も解消することができる。
【００５５】
図５は、図１に示した画像処装置１００におけるファクシミリ受信終了後のファクシミリ受信画像の印刷処理の他の例を示すフローチャートである。
【００５６】
図５に示す印刷処理も図１に示した画像処装置１００におけるファクシミリ受信終了後のファクシミリ受信画像の印刷処理を示すものであるが、図５のフローチャートにおいては、図６に示すようにファクシミリ受信した回線に対応して受信ファクシミリ画像の印刷に用いる給紙トレイが予め設定されている場合を示している。
【００５７】
すなわち、図６においては、図１に示した通信制御部６に接続される「回線１」に対しては「給紙トレイ１」が設定され、「回線２」に対しては「給紙トレイ２」が設定されている場合を示しており、この情報は、回線対応トレイ情報として補助記憶部３に記憶されている。
【００５８】
図５において、ファクシミリ受信が終了すると、まず、補助記憶部３に記憶されている図６に示した回線対応トレイ情報を参照して、ファクシミリ画像を受信した回線の印刷に使用する給紙トレイを選択する（ステップ６０１）。
【００５９】
次に、この選択された給紙トレイに裏紙がセットされているかを調べる（ステップ６０２）。
【００６０】
ここで、この選択された給紙トレイに裏紙がセットされていないと判断されると（ステップ６０２でＮＯ）、更に、両面印刷が設定されているかを調べる（ステップ６０３）。
【００６１】
そして、ステップ６０３で両面印刷が設定されていると判断されると（ステップ６０３ＹＥＳ）、ステップ６０１で選択された給紙トレイを用いて両面での印刷を指示し（ステップ６０４）、これにより、画像出力部８による受信画像の両面印刷が開始される。
【００６２】
また、ステップ６０２で、選択された給紙トレイに裏紙がセットされていると判断された場合（ステップ６０２でＹＥＳ）、若しくは、ステップ６０３で両面印刷が設定されていないと判断された場合（ステップ６０３でＮＯ）は、ステップ６０１で選択された給紙トレイを用いて片面での印刷を指示し（ステップ６０５）、これにより、画像出力部８による受信画像の片面印刷が開始される。
【００６３】
このような構成によると、ファクシミリ画像を受信した回線の印刷に使用する給紙トレイに裏紙がセットされていて、両面印刷が設定されている場合でも裏紙の既に印刷してある記録面に再度印刷されてしまうという不都合を解消することができる。
【００６４】
図７は、図１に示した画像処装置１００におけるファクシミリ受信終了後のファクシミリ受信画像の印刷処理の更に他の例を示すフローチャートである。
【００６５】
この図７に示す印刷処理も図１に示した画像処装置１００におけるファクシミリ受信終了後のファクシミリ受信画像の印刷処理を示すものであるが、図６のフローチャートにおいては、ファクシミリ受信に際して相手側から両面原稿の通知がある場合を示している。
【００６６】
この場合の印刷処理は、給紙トレイの中に裏紙が設定されていないトレイがあると、この裏紙がセットされていない給紙トレイのなかで受信画像に合う用紙サイズの給紙トレイを選択して両面印刷を行うが、全ての給紙トレイに裏紙がセットされている場合は、両面原稿の通知があるにも係わらず全ての給紙トレイのなかで受信画像に合う用紙サイズの給紙トレイを選択して片面印刷を行う。
【００６７】
すなわち、図７において、ファクシミリ受信が終了すると、まず、ファクシミリ受信に際して相手側から両面原稿の通知があるかを調べる（ステップ７０１）。
【００６８】
そして、ステップ７０１で両面原稿の通知があると判断されると（ステップ７０１でＹＥＳ）、次に、補助記憶部３に記憶されているトレイ情報を参照して全ての給紙トレイに裏紙がセットされているかを調べる（ステップ７０２）。
【００６９】
ここで、全ての給紙トレイに裏紙がセットされていないと判断されると（ステップ７０２でＮＯ）、裏紙がセットされていない給紙トレイのなかで受信画像に合う用紙サイズの給紙トレイを、補助記憶部３に記憶されているトレイ情報を参照して選択し、画像出力部８に対してこの受信画像の両面での印刷を指示し（ステップ７０３）、これにより、画像出力部８による受信画像の両面印刷が開始される。
【００７０】
また、ステップ７０１で両面原稿の通知がないと判断された場合（ステップ７０１でＮＯ）、若しくは、ステップ７０２で、全ての給紙トレイに裏紙がセットされていると判断された場合（ステップ７０２でＹＥＳ）は、全ての給紙トレイのなかで受信画像に合う用紙サイズの給紙トレイを、補助記憶部３に記憶されているトレイ情報を参照して選択し、画像出力部８に対してこの受信画像の片面での印刷を指示し（ステップ７０４）、これにより、画像出力部８による受信画像の片面印刷が開始される。
【００７１】
このような構成によると、相手側から両面原稿の通知があり、全ての給紙トレイに裏紙がセットされていても、片面印刷で受信画像を印刷出力することができる。
【００７２】
また、相手側から両面原稿の通知があり、裏紙がセットされていない給紙トレイが存在する場合は、この裏紙がセットされていない給紙トレイを選択して両面印刷が行われるので、裏紙の既に印刷してある記録面に再度印刷されてしまうという不都合も解消することができる。
【００７３】
図８は、図１に示した画像処装置１００におけるファクシミリ受信終了後のファクシミリ受信画像の印刷処理の更に他の例を示すフローチャートである。
【００７４】
この図８に示す印刷処理も図１に示した画像処装置１００におけるファクシミリ受信終了後のファクシミリ受信画像の印刷処理を示すものであるが、図８のフローチャートにおいては、図９に示すように予め設定されている場合を示している。
【００７５】
すなわち、図９においては、ファクシミリ受信に際して使用可能な用紙サイズがＡ４、Ｂ５と指定されている場合を示しており、この情報は、ファクシミリ受信用紙情報として補助記憶部３に記憶されている。
【００７６】
図８において、ファクシミリ受信が終了すると、まず、補助記憶部３に記憶されている両面／片面印刷設定情報を参照して、両面印刷が設定されているかを調べる（ステップ８０１）。
【００７７】
ここで、両面印刷が設定されていると判断された場合は（ステップ８０１でＴＥＳ）、次に、補助記憶部３に記憶されているファクシミリ受信用紙情報を参照して指定用紙サイズの全ての給紙トレイに裏紙がセットされているかを補助記憶部３に記憶されているトレイ情報を参照して調べる（ステップ８０２）。
【００７８】
そして、ステップ８０２で全ての給紙トレイに裏紙がセットされていないと判断されると（ステップ８０２でＮＯ）、受信画像に合う用紙サイズで裏紙が設定されていない給紙トレイを選択して両面印刷指示を行い（ステップ８０３）、これにより、画像出力部８による受信画像の両面印刷が開始される。
【００７９】
また、ステップ８０１で両面印刷が設定されていないと判断された場合（ステップ８０１でＮＯ）、若しくは、ステップ８０２で指定用紙サイズの全ての給紙トレイに裏紙がセットされていると判断された場合（ステップ８０２でＹＥＳ）は、補助記憶部３に記憶されているトレイ情報を参照して受信画像に合う用紙サイズの給紙トレイが複数あるかを調べる（ステップ８０４）。
【００８０】
ここで、受信画像に合う用紙サイズの給紙トレイが複数あると判断された場合は（ステップ８０４でＹＥＳ）、次に、裏紙が設定された給紙トレイがあるかを調べ（ステップ８０５）、裏紙が設定された給紙トレイがある場合は（ステップ８０５でＹＥＳ）、この裏紙が設定された給紙トレイを選択して片面印刷指示を行い（ステップ８０６）、これにより、画像出力部８による受信画像の片面印刷が開始される。
【００８１】
また、ステップ８０５で裏紙が設定された給紙トレイがないと判断された場合は（ステップ８０５でＮＯ）、任意の給紙トレイを選択して片面印刷指示を行い（ステップ８０７）、これにより、画像出力部８による受信画像の片面印刷が開始される。
【００８２】
また、ステップ８０４で、受信画像に合う用紙サイズの給紙トレイが複数ないと判断された場合は（ステップ８０４でＮＯ）、受信画像に合う用紙サイズの給紙トレイを選択して片面刷指示を行い（ステップ８０８）、これにより、画像出力部８による受信画像の片面印刷が開始される。
【００８３】
このような構成によると、両面印刷が設定され、指定用紙サイズの全ての給紙トレイに裏紙が設定されていても、片面印刷で受信画像を印刷出力することができる。
【００８４】
また、両面印刷が設定され、受信画像に合う用紙サイズの給紙トレイが複数ある場合は、裏紙が設定された給紙トレイから優先的に印刷が行われるので裏紙を有効利用することが可能になる。
【００８５】
図１０は、図１に示した画像処装置１００におけるファクシミリ受信開始時における処理の一例を示すフローチャートである。
【００８６】
図１０に示した処理においては、ファクシミリ受信開始時における相手側に対する受信用紙サイズの宣言を裏紙が設定された給紙トレイがある場合を考慮して行うように構成されている。
【００８７】
すなわち、図１０において、ファクシミリ受信が開始されると、まず、補助記憶部３に記憶されているトレイ情報を参照して全ての給紙トレイに裏紙がセットされているかを調べる（ステップ１００１）。
【００８８】
ここで、全ての給紙トレイに裏紙がセットされていないと判断されると（ステップ１００１でＮＯ）、補助記憶部３に記憶されている両面／片面印刷設定情報を参照して、両面印刷が設定されているかを調べる（ステップ１００２）。
【００８９】
そして、ステップ１００２で両面印刷が設定されていると判断されると（ステップ１００２でＹＥＳ）、裏紙が設定されていない給紙トレイの用紙サイズを受信用紙サイズとして宣言し（ステップ１００３）、ファクシミリ受信を継続する。
【００９０】
また、ステップ１００１で全ての給紙トレイに裏紙がセットされていると判断された場合（ステップ１００１でＹＥＳ）、若しくは、ステップ１００２で両面印刷が設定されていと判断された場合（ステップ１００２でＮＯ）は、全ての給紙トレイの用紙サイズを受信用紙サイズとして宣言し（ステップ１００４）、ファクシミリ受信を継続する。
【００９１】
このような構成によると、裏紙が設定されていない給紙トレイがあり、両面印刷が設定されている場合は、裏紙が設定されていない給紙トレイの用紙サイズを受信用紙サイズとして宣言することができるので、受信画像が裏紙の既に印刷してある記録面に再度印刷されてしまうという不都合が解消でき、また、全ての給紙トレイに裏紙がセットされている場合でも受信用紙サイズの宣言ができるので、裏紙を有効に利用した受信画像の印刷制御が可能になる。
【００９２】
なお、上記実施例においては、片面印刷用紙が片面が既に印刷に用いられている裏紙である場合について説明したが、印刷面が片面に設定された写真画像用の用紙等の場合にも同様に適用することができる。
【産業上の利用可能性】
【００９３】
この発明は、ファクシミリ装置、プリンタ、複写機等の画像処理装置に利用できる。この発明によれば、両面印刷が設定され、かつ給紙トレイに裏紙等の片面のみ印刷に適した片面印刷用紙が収容されていると設定されている場合は、両面印刷の設定を無視して片面印刷を行うように構成したので、給紙トレイに片面印刷用紙が収容されている場合でも既に印刷してある記録面に再度印刷されてしまったり、印刷に適しない印刷面に印刷されててしまうという不都合を解消できるとともに、裏紙等の片面印刷用紙を有効に利用することが可能になる。
【図面の簡単な説明】
【００９４】
【図１】この発明に係わる画像処理装置の概略構成の一例を示すブロック図である。
【図２】図１に示した補助記憶部３に記憶されるトレイ情報の一例を示す図である。
【図３】図１に示した補助記憶部３に記憶される両面／片面印刷設定情報の一例を示す図である。
【図４】図１に示した画像処装置１００におけるファクシミリ受信終了後のファクシミリ受信画像の印刷処理の一例を示すフローチャートである。
【図５】図１に示した画像処装置１００におけるファクシミリ受信終了後のファクシミリ受信画像の印刷処理の他の例を示すフローチャートである。
【図６】図１に示した補助記憶部３に記憶される回線対応トレイ情報の一例を示す図である。
【図７】図１に示した画像処装置１００におけるファクシミリ受信終了後のファクシミリ受信画像の印刷処理の更に他の例を示すフローチャートである。
【図８】図１に示した画像処装置１００におけるファクシミリ受信終了後のファクシミリ受信画像の印刷処理の更に他の例を示すフローチャートである。
【図９】図１に示した補助記憶部３に記憶されるファクシミリ受信用紙情報の一例を示す図である。
【図１０】図１に示した画像処装置１００におけるファクシミリ受信開始時における処理の一例を示すフローチャートである。
【符号の説明】
【００９５】
１    ＣＰＵ（中央演算処理装置）
２    主記憶部
３    補助記憶部
４    表示部
５    操作部
６    通信制御部
７    画像入力部
８    画像出力部
９    給紙装置
１０    システムバス
１００    画像処理装置
【図１】
2005191873.tif 000003
【図２】
2005191873.tif 000004
【図３】
2005191873.tif 000005
【図４】
2005191873.tif 000006
【図５】
2005191873.tif 000007
【図６】
2005191873.tif 000008
【図７】
2005191873.tif 000009
【図８】
2005191873.tif 000010
【図９】
2005191873.tif 000011
【図１０】
2005191873.tif 000012